(57)【要約】【課題】従来のダム汚泥処理による従来工法は濁り問題が発生し、水性動植物に悪影響を与えたり飲料水の悪化につながっている。この問題点を解消する汚泥除去を簡単に行い、濁り問題も解決し、処理汚泥の有効利用と、濾過水の有効利用の装置を提供する。      【解決手段】この出願の発明は堆積汚泥や土砂を落差圧で吸引し、混濁水を目的地に移動し、ダムを復元する。汚泥処理方法は、下流部に沈殿槽を造成して流し込み、静置して沈殿させる。沈殿池の造成は、山の斜面や頂上を切り開いて造成するので、堅牢な建設は必要なく、簡単で経費も安価にできるメリットがある。沈殿後の濾過水は工業用水や飲料水等に利用する。沈殿汚泥の処理は、発酵すると高級肥土となる。混合汚泥は石材原料として建設資材や護岸材料や、ビオトープ等の環境資材に加工し有益に活用する。【選択図】 図２
2005224739.tif 000002
【特許請求の範囲】
【請求項１】
汚泥の処理方法として、移動パイプで下流まで誘導し、ダム底部より低い下流部の山の側面か盆地か谷を利用して汚泥濾過プールを作り、側壁の周辺に草木を植え込み、プール側壁とプール底部で濾過をすることで、周辺に濁りのない湧出清水を得る方法。
【請求項２】
プール周辺より湧出する濾過水を、集水パイプより受け皿管を通して排水パイプより、バイブ配管で下流へ移動し工業用水や飲料水等として使用する方法。
【請求項３】
濾過後の汚泥に流木チップを混合して、これに食品廃棄物を混合し発酵することで高級な肥土を生産する方法。
【請求項４】
砂・石混じりの汚泥は色石粉で着色後、多穴室ブロックの変形体の石に加工し、護岸材や建設材料に使用する方法。
【発明の詳細な説明】
【技術分野】
【０００１】
この出願の発明はサイフォン原理の吸引技術を利用して、汚泥を排出移動して濾過することと、濾過汚泥を加工する方法である。
【背景技術】
【０００２】
ダムなどの場合、堆積物などでダムの貯水率が低下し、渇水期には飲料水等の生活用水や工業用水の不足問題で生活水の節水や工場の一部停止などの問題が発生している。また、田畑に供給する水不足で干ばつが発生したりと、食糧問題をも直撃する深刻な社会的問題となっている。それは、ダム設計当初の貯水率が堆積汚泥や流入砂や石によって低下しているもので、それには、この問題解決の技術的な発明が求められている。
【０００３】
従来のダム堆積物の排出問題の解決方法には、（１）定期的にダム底部の排出口から流す方法。（２）露出した堆砂等をダム湖の中流域への移送によるダム湖外への移送。（３）ダム上流部へ貯砂を造成し、土砂混じりの水を直接流すバイパストンネルでの排砂方法。（４）浚渫船による掘削や、上流部への排砂などがある。
【０００４】
しかし、（１）底部開口部の放水による除去は、大量の水が流れたり、開口部の土砂詰まりによるトラブルの発生がある。（２）移送やバイパス排砂や浚渫方法も、何れも下流の水が濁るなど水性動植物や水質の悪化につながり、問題が大きい。        
【０００５】
この出願の発明は、この様な事情に鑑みてなされたものであり、軽微な方法で排出除去して濾過し、排出水の濁り問題を解決するものである。また、排出した汚泥を有効に利用
し、しかも、濾過水も有効に利用することのできる、自然に優しい発想の技術手段を提供する。従来このような要求に応えることのできる処理方法は実用化されていない。
【特許文献１】特開平１０−１１８６９７号公報
【特許文献２】特開昭５６−１１３３５７号公報
【特許文献３】特開昭５６−１１３３５８号公報
【特許文献４】特開昭５６−１１５６４８号公報
【特許文献５】特開昭６０−５５１３２号公報
【特許文献６】特開平０１−３１５５１４号公報
【特許文献７】特開平０９−１５８１６０号公報
【特許文献８】特開昭６２−７４２７号公報
【特許文献９】特開平１０−３１４７１０号公報
【特許文献１０】特開２００２−１２６７７７号公報
【発明の開示】
【発明が解決しようとする課題】
【０００６】
問題を解決するものとして、本発明は移動汚泥を濁りのない濾過をする。濾過水を有効利用する。濾過汚泥を有効利用する。
【０００７】
第１にはダム湖の水を濁らせることなく、汚泥を吸引したり、硬い層は掘削吸引し、ダム堤体壁の高さだけのサイフォン効果で吸引し移送する。
【０００８】
第２に排出汚泥処理のプール建設は山の側面等を利用して建設し、山肌の草木や壁面への植裁植物の濾過力を利用するので、特別の堅牢な建設物が不要である工法を提供する。
【０００９】
第３に汚泥処理の方法に汚泥中の微生物をベースにして、流木チップを混合したり公害になっている食品廃棄物を混合する有効活用で、下流の漁民の願望である潮焼け現象をも解消する事のできる肥土も提供する。
【００１０】
第４に泥土の種類によっては、砂や石混じりの汚泥はブロック加工し、護岸材や建設資材等にも利用しようとするものである。
【課題を解決するための手段】
【００１１】
本発明は、ダム堆積物を濾過することなく放出している下流部の濁り問題より発生する、水質の悪化による水性動植物への影響を排除できることと、汚泥を有効活用することを特徴とする。
【００１２】
沈殿汚泥の処理は、ダム湖に集まってダムを痛める流木をチップとしたものと、食品の廃棄物を汚泥と共に混合し、発酵を促進させるためにシートで覆い発酵させる。発酵したものは、高級な肥土に変化し、多用途に利用できる。また、汚泥の種類によって、砂や粒度の大きい砂利を含む汚泥は色石粉を混合し、カラーブロックの多穴室加工や変形石型で、建設資材や護岸材料、ビオトープ等の環境資材に加工することを特徴とする。
【発明の効果】
【００１３】
本発明は、汚泥を沈殿によって分離し、余剰水分は側壁やプール底部より濾過させるので、従来工法の放流等による水の濁り問題を解決することができる。
【００１４】
従来、ダム問題は汚泥によって貯水率が低下して、渇水期には水問題が毎年のように発生して社会問題となる。本発明は、汚泥処理の水を無駄にすることなく、しかも浄化した水が有効に利用できるもので、全国のダムの抱えている水問題を一挙に解決できる。
【００１５】
汚泥は、貴重な有機物や無機物やミネラルをふんだんに含んでいる。汚泥の沈積で豊富な栄養を含む汚泥が下流に届かない。それは、食物連鎖の元になる植物プランクトンの発
生が失われ、漁場は潮焼けし魚が育たない。漁民は潮焼け問題を解決できる有効な養分を得るために、上流に植林することで下流への養分の恵みを得ることを訴え、漁民自ら植林を実践している。このことで汚泥は、流域の川より豊かな栄養を含んだ木の葉などの堆積物であることが理解できる。このように堆積汚泥は、この山の恵みの栄養を大量に含む貴重な有機物を有する金の資源であると言える。この資源を発酵などの方法で有効に生かすことは、汚泥がダイヤモンド肥土へと変化し、流域への施肥で漁場の潮焼け現象を解決し、本来の豊かな海を取り戻す夢の肥料へと公害汚泥が変化するものである。
【００１６】
汚泥には、砂や粒度の大きいものを含むものも多く存在する。これは、発酵肥土には向かない粗粒の混合汚泥である。肥土に利用できない汚泥は、多穴室の変形石型化粧ブロックにすることで、ビオトープや小川などの土止めや、川や海の護岸材料とすることで自然に優しい環境材料となる。また、田圃の間仕切り等に利用すれば、田圃の水性動植物が生息しやすい環境になり、昔の良き農村風景に生き返る材料に変化する。
【発明を実施するための最良の形態】
【００１７】
濁り問題を解決する汚泥処理方法である。
【実施例１】
【００１８】
図１はダム湖、汚泥排出・汚泥処理・水利用システムのフローチャートである。
ダム湖汚泥処理（１０１）はサイフォン（１０２）によって吸引処理され沈殿槽（１０３）に移送される。濾過水の放流（１０４）を集合させて、工業用水（１０５）の流れで有効利用する。
沈殿槽（１０３）に残った汚泥に、流木チップ（１０６）と食品廃棄物（１０７）を混合（１０８）し、これを発酵（１０９）する。発酵したものが肥料（１１０）となる。これを袋詰（１１１）する。砂や小石混じりの汚泥は、砂・小石・色石粉を混合するタンク（１１２）で混合し、変形石型ブロック（１１３）に加工して、護岸材や建設材料に加工するフローチャートである。
【００１９】
図２は汚泥の移動と加工方法を示した説明図である。（実施例１）
掘削機の先端部（２０１）の特殊金具（２０２）を装着している水中カメラ付き掘削機（２０３）を汚泥層（２０４）から吸引し、ダム水（２０５）の水圧で吸引する。提体壁 （２０６）の上部より真空ポンプ （２０７）で吸引すると自動的にサイフォン原理が働き下流部沈殿槽（２０８）まで落差によって移送される。満杯になった時点で、切替えコック（２０９）で次の２・３層へと移動する。移動間のトラブルが考えられるので、水抜きバルブ（２１０）で対応する。沈殿槽（２０８）の汚泥は沈殿し、上水はブローし、底部からと周辺部の濾過水は、工業用水槽（２１１）に貯留されて工業用水(２１２)に利用する。砂・砂利混じりの汚泥は、混合プラント（２１３）に移動し、色石粉等を混合（２１４）し、多穴質変形ブロック（２１５）に加工する。
【００２０】
図３は沈殿槽における濾過及びブローの説明図である。（実施例２）
移送官（３０１）より流入した汚泥混濁液は、沈殿液が満杯となると静置する。すると
沈殿部（３０２）と水部（３０３）に分離する。完全に分離し、水分は地下浸透しながら
周辺部の草木（３０４）によって濾過され集水管●（３０５）を通過して、集水受け皿管（３０６）より排水管（３０７）より移送され用水ため池に貯留され、下流部工場へ送る。
図４は沈殿槽濾過後の汚泥と流木チップと食品廃棄物の混合図である。（実施例３）
沈殿濾過後の汚泥と流木チップ（４０１）と食品廃棄物（４０２）を混合したものを 輸送車両（４０３）で搬入し、撹拌用ユンボ（４０４）で汚泥層（４０５）と攪拌して均質化する。
【００２１】
図５は汚泥と流木チップと食品廃棄物の説明図である。（実施例４）
沈殿汚泥・流木チップ・食品廃棄物混合物（５０１）の発酵は、防水シート（５０２）をかけて、雨が入らないように周辺へ排水し、内部が高温となるので排気煙突（５０３）によって排気する。発酵液は多少地下浸透するが、周囲の草木の肥料となり根が生育し繁茂するので、その後の沈殿水の濾過力となる。    
【００２２】
図６は砂・砂利混合の汚泥層の利用加工方法の説明図である。（実施例５）
砂・砂利を含んだ混合汚泥（６０１）は、ミキサー（６０２）に投入し、余剰汚泥（６
０３）は沈殿池に移送する。砂・砂利・汚泥にセメント（６０４）と色石粉（６０５）を入れてミキシングし、十分混合できた時点で、混合物取出の注入口（６０６）のパイプより多穴室変形石型（６０７）に注入し、変形石に固化・整形する。
【図面の簡単な説明】
【００２３】
【図１】ダム湖、汚泥排出・汚泥処理・水利用システムのフローチャートである。
【図２】汚泥の移動と加工方法を示した説明図である。
【図３】沈殿槽における濾過及びブローの説明図である。
【図４】沈殿槽濾過後の汚泥と流木チップと食品廃棄物の混合図である。
【図５】汚泥と流木チップと食品廃棄物の説明図である。（実施例４）
【図６】砂・砂利混合の汚泥層の利用加工方法の説明図である。
【符号の説明】
【００２４】
ダム湖汚泥処理（１０１）
サイフォン（１０２）
沈殿槽（１０３）
濾過水の放流（１０４）
工業用水（１０５）
流木チップ（１０６）
食品廃棄物（１０７）
混合（１０８）
発酵（１０９）
肥料（１１０）
袋詰（１１１）
タンク（１１２）
変形石型ブロック（１１３）
掘削機の先端部（２０１）
特殊金具（２０２）
水中カメラ付き掘削機（２０３）
汚泥層（２０４）
ダム水（２０５）
提体壁（２０６）
真空ポンプ（２０７）
沈殿槽（２０８）
切替えコック（２０９）
水抜きバルブ（２１０）
工業用水槽（２１１）
工業用水(２１２)
混合プラント（２１３）
色石粉混合（２１４）
多穴室変形ブロック（２１５）
移送官（３０１）
沈殿部（３０２）
水部（３０３）
周辺部の草木（３０４）
集水管●（３０５）
集水受け皿管（３０６）
排水管（３０７）
流木チップ（４０１）
食品廃棄物（４０２）
輸送車両（４０３）
撹拌用ユンボ（４０４）
汚泥層（４０５）
汚泥・流木チップ・食品廃棄物混合物（５０１）
防水シート（５０２）
排気煙突（５０３）
砂・砂利・汚泥（６０１）
ミキサー（６０２）
余剰汚泥（６０３）
セメント（６０４）
色石粉（６０５）
混合物取出注入口（６０６）
変形石型（６０７）
【図１】
2005224739.tif 000003
【図２】
2005224739.tif 000004
【図３】
2005224739.tif 000005
【図４】
2005224739.tif 000006
【図５】
2005224739.tif 000007
【図６】
2005224739.tif 000008